(57)【要約】【課題】  糊桶からの糊液の漏れが生じない壁紙糊付機を得る。【解決手段】  糊付機本体の後部から引き入れたシート状壁装材を複数のロールで前方へ送り出しながら、糊付機本体前方に引き出し可能に収納された糊桶に収容されている糊を糊付けローラで壁装材の裏面に転写することによって連続的に糊を塗布する壁紙糊付機であって、糊桶に配された糊付機の糊付操作時に塗布糊量以上の糊液を糊桶内に供給する糊液送給パイプと、糊液送給パイプでの糊液の供給時に糊桶の収納位置が正規位置か否かを判断する糊桶位置センサーとを備えたもの。【選択図】      図４
2011153518.tif 000002
【特許請求の範囲】
【請求項１】
糊付機本体の後部から引き入れたシート状壁装材を複数のロールで前方へ送り出しながら、前記糊付機本体前方に引き出し可能に収納された糊桶に収容されている糊を糊付けローラで前記壁装材の裏面に転写することによって連続的に糊を塗布する壁紙糊付機であって、
前記糊桶に配された糊付機の糊付操作時に塗布糊量以上の糊液を糊桶内に供給する糊液送給パイプと、
前記糊液送給パイプでの糊液の供給時に前記糊桶の収納位置が正規位置か否かを判断する糊桶位置センサーとを備えたことを特徴とする壁紙糊付機。
【請求項２】
前記糊液位置センサーによって、前記糊桶の収納位置が正規位置でないと判断された場合に、前記糊液供給パイプでの糊液の供給を停止する糊液供給停止手段を更に備えたことを特徴とする請求項１に記載の壁紙糊付機。
【請求項３】
前記糊液供給停止手段が、
前記糊付機本体のコントローラ側の側面に設置された前記糊液位置センサーに接続された本体側コイルと、
前記本体側コイルに対向してコントローラに設置されたコントローラ側コイルとを備え、
前記コントローラ側コイルに予め定められた振動数のパルス電流を通電した際に発生する本体側コイルの誘導電流の通電又は非通電状態の相違を検知して前記糊液供給パイプでの糊液の供給を停止する通電制御手段とを備えたことを特徴とする請求項２に記載の壁紙糊付機。
【請求項４】
前記糊桶位置センサーが、前記糊桶の収納位置が正規位置の時に、微小な隙間を開けた２枚の磁性体リード細板を接点がＯＮとなって前記通電制御手段の通電状態を維持するリードスイッチを備えたことを特徴とする請求項３に記載の壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。
【０００３】
このような壁紙糊付機の一般的な構成は、内部に複数のローラが配置された上部構体及び下部構体から構成される糊付機本体を支持脚部上に載置し、上下構体の間に挟み込んだシート状壁装材（以下、クロスと記す）をローラで搬送しながら、下部構体の糊桶から糊をローラで糊上げ、壁装材裏面に転写塗布していくものである。
【０００４】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ローラ間にクロスを挟み込んだ状態にしておく。
【０００５】
手動式装置ではクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００６】
このような壁紙糊付機では、効率的で均一な糊付けを行えるという点では、自動式の壁紙糊付機の使用が好まれる。しかしながら、糊付機は現場へ搬送してそこで組立てられ、使用後は分解して再び持ち帰って収納しておくものであるため、小型で軽量であることが望まれるが、自動壁紙糊付機は、モータ等の駆動部及びそのコントロール部とを備える分、手動式のものより大型化し、重量も増えてしまう。
【０００７】
従って、自動壁紙糊付機において、糊付機本体の小型軽量化を目的とし、糊桶を小さくし、小さくしたことで頻繁に糊の供給を行わないように、糊液供給ポンプを備えた自動壁紙糊付機が実用化されるに至っている。（例えば、特許文献１参照）。
【０００８】
糊液供給ポンプを備えた自動壁紙糊付機では、糊付機本体とは独立に設けられた糊補給装置から糊桶内に糊を補給する。この糊補給装置の一例としては、内部で糊とこれを溶解する水とを保持する容器と、この容器内部の糊を攪拌するための攪拌機構が設けられており、この攪拌機構で糊を水とよく混合して糊液を調製し、糊補給装置の容器の底部に設けられた駆動モータ等でポンプを駆動させることにより行う。
【０００９】
糊補給装置は、攪拌や供給ポンプの駆動用モータを備えているので、糊補給装置のサイズが過大となり、またその重量も増大するという問題がある。特に、攪拌機構の軸が鉛直方向になっているため、糊補給装置が縦長となってしまい、更に、供給ポンプは容器の底部に設けられるため、サイズがより一層過大なものとなる。
【００１０】
また、糊付機本体へ手作業で糊を補給する場合には、粘性のある糊が容器から流下するのに時間が係ったり、或いは糊タンク前面を汚したり等作業の能率化が図れないという問題があった。
【００１１】
そこで、糊補給装置を用いずとも、糊液の調製や使用後の洗浄等に取り扱い易いバケツ等の容器を用いて糊を自動的に糊付機に供給することのできる糊液供給ポンプも提案されている（例えば、特許文献２参照）。
【先行技術文献】
【特許文献】
【００１２】
【特許文献１】実開平７−４４６７５号公報
【特許文献２】特開２００２−３２０８９１号公報
【発明の概要】
【発明が解決しようとする課題】
【００１３】
しかしながら、従来の壁紙糊付機では、液面センサー又は荷重センサー等の検知装置によって、糊液の残量を検知し、予め定められた残量以上に減った場合に、リミットスイッチが入って作業者に知らせたり、一定時間ポンプを駆動させて糊液を補充するものであった。また、糊桶は糊付機本体の前方に引き出し可能に収納されている場合に、確実に糊桶本体に収納されていなかった場合には、糊液供給パイプからの糊液が糊桶内に注がれず、糊桶から外れて漏れることもあった。
【００１４】
本発明は、糊液供給ポンプや手動で糊液を供給する壁紙糊付機において、糊桶から糊液が溢れる前に確実に糊液の供給を停止させる壁紙糊付機を得ることを目的とする。また、糊桶からの糊液の漏れが生じない壁紙糊付機を得ることを目的とする。
【課題を解決するための手段】
【００１５】
請求項１に記載された発明に係る壁紙糊付機は、糊付機本体の後部から引き入れたシート状壁装材を複数のロールで前方へ送り出しながら、前記糊付機本体前方に引き出し可能に収納された糊桶に収容されている糊を糊付けローラで前記壁装材の裏面に転写することによって連続的に糊を塗布する壁紙糊付機であって、
前記糊桶に配された糊付機の糊付操作時に塗布糊量以上の糊液を糊桶内に供給する糊液送給パイプと、
前記糊液送給パイプでの糊液の供給時に前記糊桶の収納位置が正規位置か否かを判断する糊桶位置センサーとを備えたことを特徴とするものである。
【００１６】
請求項２に記載された発明に係る壁紙糊付機は、請求項１に記載の糊液位置センサーによって、前記糊桶の収納位置が正規位置でないと判断された場合に、前記糊液供給パイプでの糊液の供給を停止する糊液供給停止手段を更に備えたことを特徴とするものである。
【００１７】
請求項３に記載された発明に係る壁紙糊付機は、請求項２に記載の糊液供給停止手段が、
前記糊付機本体のコントローラ側の側面に設置された前記糊液位置センサーに接続された本体側コイルと、
前記本体側コイルに対向してコントローラに設置されたコントローラ側コイルとを備え、
前記コントローラ側コイルに予め定められた振動数のパルス電流を通電した際に発生する本体側コイルの誘導電流の通電又は非通電状態の相違を検知して前記糊液供給パイプでの糊液の供給を停止する通電制御手段とを備えたことを特徴とするものである。
【００１８】
請求項４に記載された発明に係る壁紙糊付機は、請求項３に記載の糊桶位置センサーが、前記糊桶の収納位置が正規位置の時に、微小な隙間を開けた２枚の磁性体リード細板を接点がＯＮとなるリードスイッチを備えたことを特徴とするものである。
【発明の効果】
【００１９】
本発明は、糊液供給ポンプや手動で糊液を供給する壁紙糊付機において、糊桶から糊液が溢れる心配のない壁紙糊付機を得ることができるという効果がある。また、糊桶からの糊液の漏れが生じない壁紙糊付機を得ることができるという効果がある。
【図面の簡単な説明】
【００２０】
【図１】本発明の糊液供給ポンプ付き壁紙糊付機の一実施例の構成を示す説明図である。
【図２】図１の糊付機本体の構成を示す説明図である。
【図３】コントローラの構成を説明する説明図であり、ａ図は糊付機本対への取付を示す正面図であり、ｂ図はａ図のコントローラ面の正面図である。
【図４】は接触スイッチを用いた上限スイッチの概略を示す説明図である。
【図５】接触スイッチを用いた上限スイッチを備えた壁紙糊付機の側方断面図である。
【図６】図５の部分正面図である。
【図７】図５の上限スイッチ部分の構成を示す説明図である。
【図８】糊付機本体と糊桶との装着位置を説明する側面図であり、ａ図は正規な収納位置、ｂ図、ｃ図は正規な収納位置からずれた状態を示し、ｄ図はｃ図の糊桶位置センサーの拡大図である。
【図９】非接触スイッチを用いた上限スイッチを備えた壁紙糊付機の説明図である。
【発明を実施するための形態】
【００２１】
本発明においては、糊付機本体の後部から引き入れたシート状壁装材を複数のロールで前方へ送り出しながら、前記糊付機本体前方に引き出し可能に収納された糊桶に収容されている糊を糊付けローラで前記壁装材の裏面に転写することによって連続的に糊を塗布する壁紙糊付機であって、糊桶に配された糊付機の糊付操作時に塗布糊量以上の糊液を糊桶内に供給する糊液送給パイプと、糊液送給パイプでの糊液の供給時に前記糊桶の収納位置が正規位置か否かを判断する糊桶位置センサーとを備えることにより、糊液送給パイプから糊桶への糊液の供給が確実になり、糊液の漏れが生じなくなる。
【００２２】
即ち、糊付機の糊付操作時に塗布糊量以上の糊液を糊桶内に供給する糊液送給パイプが糊桶に配されている場合に、糊桶の収納位置が正規位置でない場合には送給パイプからの糊液が糊桶内に注がれず、糊桶の外に漏れ出るおそれがある。本発明では、これを防止するため糊桶位置センサーを備えるものである。糊桶位置センサーは、糊桶の収納位置が正規位置でないと判断した場合には、操作者に知らせるように、警報音を発してもよいし、警報ランプを点滅させてもよい。好ましい態様としては、糊液位置センサーによって、前記糊桶の収納位置が正規位置でないと判断された場合に、前記糊液供給パイプでの糊液の供給を停止する糊液供給停止手段を更に備えることにより、確実に糊液の漏れが生じなくなる。
【００２３】
尚、本発明での糊液供給停止手段としては、糊液供給パイプでの糊液の供給を停止するものであればよい。例えば、糊桶内部の液面や糊桶の重量に応じて糊液供給パイプの糊液を供給している場合には、その糊液の供給を停止すればよい。
【００２４】
本発明の好ましい態様としては、糊液供給停止手段が、糊付機本体のコントローラ側の側面に設置された前記糊液位置センサーに接続された本体側コイルと、本体側コイルに対向してコントローラに設置されたコントローラ側コイルとを備え、コントローラ側コイルに予め定められた振動数のパルス電流を通電した際に発生する本体側コイルの誘導電流の通電又は非通電状態の相違を検知して前記糊液供給パイプでの糊液の供給を停止する通電制御手段とを備えるものが挙げられる。即ち、前述の糊量上限スイッチによって、前記糊液量の上限レベルを超えた際に前記糊液供給パイプでの糊液の供給を停止する糊液供給停止手段を利用するものである。
【００２５】
更に、好ましい態様としては、糊桶位置センサーが、前記糊桶の収納位置が正規位置の時に、微小な隙間を開けた２枚の磁性体リード細板を接点がＯＮとなるリードスイッチを備える。
【００２６】
好ましい態様としては、糊付機本体の後部から引き入れたシート状壁装材を複数のロールで前方へ送り出しながら、前記糊付機本体内の糊桶に収容されている糊を糊付けローラで前記壁装材の裏面に転写することによって連続的に糊を塗布する壁紙糊付機であって、
収容される糊液の重量に応じて上下動する糊桶の糊量上限スイッチとして、
前記糊付機本体に装着された糊桶の下方に配される部材の支点に対して、一端部が糊桶の下面に当接し、他端側が前記糊桶内に供給された糊液が予め定められた糊液量の上限レベルを超えた際に傾かせるカウンターバランスを備えた天秤竿部材と、
前記天秤竿部材の他端側に設けられ、天秤竿部材の動きに応じて接点を開閉し通電状態又は非通電状態へ移行する接触型又は非接触型スイッチとを備える。これにより、糊液の上限を越えて貯留した際に糊液上限スイッチが働くため、糊液の貯留を止める等の措置を行うことにより、糊桶から糊液が溢れる心配がない。
【００２７】
例えば、上限スイッチによって、上限を超えたことを示す表示手段を備えた場合には、作業員がその表示手段の表示を見ながら注ぎ入れる際に糊液の貯留を止める目安となる。しかしながら、より好ましい態様としては、糊桶には糊付機の糊付操作時に塗布糊量以上の糊液を糊桶内に供給する糊液送給パイプが配されており、糊量上限スイッチによって糊液量の上限レベルを超えた際に糊液供給パイプの糊液供給を停止する糊液供給停止手段を更に備える。例えば、糊液送給パイプとして、糊液を保持した糊液容器を高い位置に配置して糊液を操作弁を介して糊桶内へ供給するものであり、糊液供給停止手段としては操作弁を上限スイッチによって停止させたり、糊液を保持した糊液容器内の糊液を糊液送給パイプを介して糊桶内へ供給する糊液供給ポンプ装置を上限スイッチによって停止させるものが挙げられる。これにより、糊液が溢れることなく糊桶に自動的に供給することができ、簡便に糊付作業及び洗浄作業を行うことができる。
【００２８】
また、好ましい態様としては、糊液供給停止手段が、糊付機本体のコントローラ側の側面に設置されて前記接触型又は非接触型スイッチに接続された本体側コイルと、本体側コイルに対向してコントローラに設置されたコントローラ側コイルと、コントローラ側コイルに予め定められた振動数のパルス電流を通電した際に発生する本体側コイルの誘導電流の通電又は非通電状態の相違を検知して糊液供給パイプでの糊液の供給を停止する通電制御手段とを備える。
【００２９】
即ち、対向したコイルのコントローラ側でのパルス電流によって発生する本体側コイルの誘導電流の接触型又は非接触型スイッチのＯＮ／ＯＦＦによる回路の通電状態又は非通電状態の相違を検知するため、自動的に糊液が溢れることなく糊桶に供給することができ、簡便に糊付作業及び洗浄作業を行うことができる。また、糊付機本体側には洗浄時に取り外すべき給電系が存在しない。これにより、作業終了後の洗浄時にも濡れることを気にすることがなく、簡便に糊付作業及び洗浄作業を行うことができる。
【００３０】
尚、糊は粘性が有るため、停止状態とでは、糊面レベルが水平にならない場合があるため、水平にする装置が必要となることがある。本発明の好ましい態様では、糊付機の糊付操作時、即ち、糊ローラ動作状態で糊液を糊桶内に供給するため、駆動している糊上げロールによって糊面がほぼ水平に均される。このため、水平にする装置が不要となる。また、本発明では、天秤竿部材の動きに応じて接点を開閉する接触型又は非接触型スイッチが選択される。更に、糊液送給パイプによる糊液の供給によって液量が増えると共に糊付により液量が徐々に減るため、糊液量の上限レベルを超えた場合に素早く反応する天秤竿部材に接触している接触スイッチや非接触スイッチがより好ましい。例えば、非接触型スイッチとしては、微小な隙間を開けた２枚の磁性体リード細板を接点としたリードスイッチが挙げられる。
【００３１】
例えば、天秤竿部材の他端部に永久磁石又はリードスイッチの一方を設置し、その近傍に永久磁石又はリードスイッチの他方を設置する。天秤竿部材の動きにより磁性体リード細板の接点をＯＮ／ＯＦＦさせて通電状態又は非通電状態へ移行の際に本体側コイルの誘導電流による変化を検知すればよい。
【００３２】
また、好ましい態様としては、天秤竿部材が糊付機本体を載置させる下部フレーム内部に配され、下部フレームの上部に穿設された孔を通して天秤竿部材の一端部の当接部と糊桶の下面の一部とが直接又は間接的に当接された糊付機において、糊桶がその高さ位置を変えながら糊付機本体前方に引き出し可能に収納されると共に当接部に当接するように前記糊桶の下面から突設された突設部材を備え、この突設部材には糊桶の収納位置が正規位置の状態で当接部の端縁部に掛合して糊桶の飛び出しを防止する掛止片を備える。これにより、糊桶から糊液が溢れる前に確実に糊液の供給を停止させることができる。
【００３３】
即ち、糊桶には糊上げロールが備わっており、この糊上げロールが糊付ロールに対して背面側に設置されている場合には、糊桶は水平を維持させたまま、糊上げロールを糊付ロールの下方から背面に移動させた上で、糊桶の高さ位置を上げて正規位置に収納させなければならない。そのために例えば糊付機本体の内壁面に形成された糊桶ガイドレールに沿って、前方から正規位置まで糊桶が移動することをガイドしている。正規位置に収納させた糊桶はガイドレールの機構上、常に糊桶を前面に押し出す押出し力が働いており、正規位置での収納を確実にするために、例えばその糊桶の両側壁面前方に形成されたストッパとガイドレール出口付近の掛合段差とが掛合して糊桶の飛び出しを防止する。
【００３４】
しかしながら、糊桶の飛び出しを止めるストッパと掛合段差との摩擦が糊量上限スイッチの誤作動を招くことがあった。そこで、糊桶がその高さ位置を変えながら糊付機本体前方に引き出し可能に収納されると共に当接部に当接するように糊桶の下面から突設された突設部材に糊桶の収納位置が正規位置の状態で当接部の端縁部に掛合して糊桶の飛び出しを防止する掛止片によって、前述のストッパの代わりをさせることにより、誤動作が少なくなり糊桶から糊液が溢れる前に確実に糊液の供給を停止させることができる。
【００３５】
尚、前述の糊桶の両側壁面前方に形成されたストッパのうち少なくとも突設部材に近いストッパは糊桶が正規位置で収納されている場合には、掛合段差と接触させないようにすれば良く、糊桶の正規位置を除いた出し入れの際に糊桶の突設部材と当接部とを接触させないようにするために両側部に備えていても良い。
【００３６】
また、糊桶が正規位置に収納されている場合には、掛止片が当接部を飛び出し方向へ押圧する力と糊液を含めた糊桶の重量との合力である斜め荷重が天秤竿部材にかかる。そのため、好ましい態様としては、天秤竿部材の支点を構成する軸受には、その斜め荷重に対抗可能な低摩擦軸受手段を備える。具体的には、斜め荷重がかかった場合でもスムーズな傾きを与えるためにボールベアリング等のベアリングを備えればよい。更に、好ましい態様としては、斜め荷重によって天秤竿部材自体が当所の位置よりも斜めになる場合が想定される。天秤竿部材自体が斜めになると特に非接触スイッチのリードスイッチ等において磁気反発・磁気吸着が良好に働かない場合が想定される。そのため、斜め荷重によって天秤竿部材が斜めになることを防止するため、前記天秤竿部材の他端部に配されたガイド片と、このガイド片を案内するガイド溝とを備える。具体的には天秤竿部材の傾きに沿った上下方向のガイド溝を形成し、天秤竿部材の傾きに応じてガイド片をガイド溝に沿って案内するものであればよい。具体的なガイド片としては、天秤竿部材の傾きに応じてガイド溝の内側壁の何れかに沿って転がるベアリング車輪等のものが摩擦が小さくなり好適である。
【００３７】
更に、好ましい態様としては、天秤竿部材が糊付機本体を載置させる下部フレーム内部に配され、この下部フレームの上部に穿設された孔を介して、前記天秤竿部材の一端部の当接部と糊桶の下面の一部とが当接され、この孔には、上方からの水の侵入を阻害し、尚且つ、当接部の糊桶からの荷重を阻害しない可撓性の防水キャップを備えることにより、作業終了後の洗浄時にも濡れることを気にすることがなく、天秤竿部材の動作に影響を与えることが少ない。
【００３８】
尚、本発明の予め定められた糊液量の上限レベルを超えた際に傾かせるカウンターバランスを備えた天秤竿部材は、好ましくは、２．５ｋｇ〜６ｋｇの糊液量の範囲で駆動される。例えば、３ｋｇを越えた際に傾くように調整する。これにより、糊桶内部には最小限度の糊が入ることとなり、清掃が容易という利点もある。
【実施例】
【００３９】
１．全体構成
図１は本発明の糊液供給ポンプ付き壁紙糊付機の一実施例の構成を示す説明図であり、図２は図１の糊付機本体の構成を示す説明図である。図３はコントローラの構成を説明する説明図であり、ａ図は糊付機本対への取付を示す正面図であり、ｂ図はａ図のコントローラ面の正面図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００４０】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。この第１テンションバー３６は、台座部２の前脚３１と後脚３２との中間位置下方に設けられたカットテープ取付け芯棒３７に一端部を回動自在に軸支された第１テンションバー回動部材３８の他端部に取付けられることにより、折り畳み時に台座部２の前脚３１の上部へ収納することができる。
【００４１】
糊付機本体１は、糊桶６を主とする下部構体４とその上に開閉可能に載置される上部構体５とによって構成される。
【００４２】
各ローラの回転に伴って糊付機本体１の後面側から前方へ搬送されてくるクロス裏面に回転しながら当接して連続的に糊を塗布する糊付けローラ４１は、下部構体４の左右両側壁面の軸受板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００４３】
糊付けローラ４１は、糊付機本体１に着脱自在に取付けられる駆動源である電動モータを備えたコントローラ８の回転軸に連結されている。糊桶６の側板に軸止された糊付けローラ４１の回転軸は、下部構体４に配置される下ピンチローラ４２、ドクターローラ４３、均しローラ４４及び上部構体５に配置される検尺ローラとして用いられる上ピンチローラ５１、押さえローラ５２、ドライブローラ５３のうちの所定ローラの回転軸とギアを介して連動される。
【００４４】
糊付けローラ４１の回転に伴って、ギアを介して回転運動が伝達され、他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。
【００４５】
また、糊付機本体１の後面側には、スリッター９を備える。スリッター９は、クロスＣを沿わせて搬送する搬送通路となるガイド面部９１と、このガイド面部９１への上流側とガイド面部９１の下流側にクロス全幅に亘ってガイド面部９１方向へ押圧された状態でガイド面部９１上にテンションをかけるように配置される２つのテンションバー９２，９３と、ガイド面部９１の側端部領域に各々回転刃９０とを備えている。尚、スリッター９の両側壁部の上部に設置されているのは、収納時にクロス芯棒３４を保持するホルダー９４である。
【００４６】
具体的には、ガイド面部９１の両側端部領域には、一枚刃式（一枚の円形刃物の回転で切断する形式の刃）の回転刃９０が夫々配置されており、この回転刃９０の高速回転によってクロスの側縁の両側が切断される。回転刃９０を配置する位置は、クロスＣの側縁部（所謂、耳部）をどれだけ切断するかによって適宜決定すれば良いので、左右方向の位置が可変に構成されている。よって、側端部領域はクロスＣの切断条件に応じて任意に定まるものである。そして、この可変領域を含んだ両側部がクロスＣの切断部となる。
【００４７】
スリッターの下方の第２テンションバー９２は、第１テンションバー３６と同様にクロスＣの全幅を超える長さの丸棒部材であり、第２テンションバー９２の両端部を支持する第２テンションバー回動部材９５により、開いた状態でクロスＣに装着することができ、クロスＣの両耳部を切断する際には、テンションをかけるようにスリッター下方に移動可能である。また、ガイド面部９１への上流側の第３テンションバー９３は、挟み込まれたクロスＣをガイド面部９１へ押付ける機構を備え、回転刃９０による切断の際にガイド面部９１からクロスＣが浮き上がることを防止すると共に、ガイド面部９１の下流側曲面９６と併せて糊付機本体へ引き込まれるクロスＣに良好なテンションをかけることができる。
【００４８】
更に、糊付機本体１の外部には、糊液が収容されている糊液容器としての糊バケツ７１と、糊バケツ７１内の糊を糊桶６へ連続的に供給する糊液供給ポンプ装置７とが配されている。ポンプ装置７は、糊付機本体１側の駆動と同期して駆動し、吸入口７２からタンク内の糊液を吸い込み、吐出口７３から糊付機本体１に連通し、糊桶６の背面側に注入口を備えた供給パイプ７４を介して、糊付けローラ４１によるクロス裏面への糊塗布に基づく糊桶６内の糊液の減少量よりも多い流量で、糊桶６内へ供給する。
【００４９】
２．接触スイッチを用いた上限スイッチ
上限スイッチの例としては、接触スイッチを用いたものである。図４は接触スイッチを用いた上限スイッチの概略を示す説明図であり、図５は接触スイッチを用いた上限スイッチを備えた壁紙糊付機の側方断面図であり、図６は図５の部分正面図であり、図７は図５の上限スイッチの構成を示す説明図であり、ａ図は平面図、ｂ図は側面図である。図８は糊付機本体と糊桶との装着位置を説明する側面図であり、ａ図は正規な収納位置、ｂ図、ｃ図は正規な収納位置からずれた状態を示し、ｄ図はｂ図の糊桶位置センサーの拡大図である。
【００５０】
図に示す通り、糊付機本体１の左右両側面を繋ぐ前方下部フレーム４６内部の上部壁面に固定された支点部材１０４の支点１０１で吊下された天秤竿部材１０２の一端部は上方に当接部１０７が設けられ、この当接部１０７は、フレーム４６に穿設された穿設孔４７を介して糊桶６の突設部材１０３に当接する。天秤竿部材１０２の他端部側の重さは糊桶６内部に汲上げられた糊液の上限を越えて貯留した際に初めて天秤竿部材１０２を傾かせる重さとしている。天秤竿部材１０２の他端部の先端部分には、接触スイッチ１０５を押すための凸部が配されている。接触スイッチ１０５は糊付機本体１のコントローラ側の側面に設置された本体側コイル８７に接続されており、天秤竿部材１０２の他端の先端部が接触している際に通電してコイル８７を含んだ閉回路を形成し、天秤竿部材１０２の他端の先端部が離反した際には非通電となり閉回路が遮断する。
【００５１】
また、本体側コイル８７を含んだ閉回路には、糊桶位置センサーとして、糊付機本体側にリードスイッチ８８と糊桶側に３つの永久磁石６５とが設置されている。糊桶６は糊桶６の側板に対向した糊付機本体１の内壁面に形成された糊桶ガイドレール８４に沿って前方に引き出し可能に収納される。前述の通り、糊桶６には糊上げロール６１が備わっており、この糊上げロール６１が糊付ロール４１に対して背面側に配置されている。このため、糊桶６は水平を維持させたまま、糊上げロール６１を糊付ロール４１の下方から背面に移動させた上で、糊桶６の高さ位置を上げて正規位置に収納させなければならない。そのために糊付機本体１の内壁面に形成された糊桶ガイドレール８４に沿って、前方から正規位置まで糊桶６が移動することをガイドしている。正規位置に収納させた糊桶６はガイドレール８４が斜めに配されているため、常に糊桶６を前面に押し出す押出し力が働いており、正規位置での収納を確実にするために、糊桶６の両側壁面の前方に形成されたストッパ８５とガイドレール出口付近の掛合段差８６とが掛合して糊桶６の飛び出しを防止している。
【００５２】
尚、糊桶６の突設部材１０３が形成されている側のストッパ８５と糊桶ガイドレール８４の掛合段差８６とが接触しているとその摩擦によって糊桶６の糊液供給による荷重が良好に天秤竿部材１０２にかからない場合が想定される。そのため、図８に示すとおり、糊桶６が正規位置で収納されている場合には、糊桶６の突設部材１０３が形成されている側のストッパ８５と掛合段差８６とは接触しないようにしており、糊桶６の突設部材１０３に形成された掛止片１１０によって糊桶の収納位置が正規位置の状態で当接部１０７の端縁部に掛合して糊桶の飛び出しを防止させている。これにより、誤動作が少なくなり糊桶から糊液が溢れる前に確実に糊液の供給を停止させることができる。
【００５３】
糊桶６が図８のａ図のように収納位置にきちんと嵌っている場合には、リードスイッチ８８の糊桶側対向位置に設置された２つの永久磁石６５ａ，ｂはリードスイッチ８８内の接点に近接してスイッチを閉として、閉回路を形成する。更に、図８のｂ図からｃ図のようにずれた場合には、永久磁石６５ａ，ｂがリードスイッチ８８から離れて、リードスイッチ８８が開となるが、ｂ図に示すように永久磁石６５ａに隣接する磁性の相違する永久磁石６５ｃがリードスイッチ８８に近接するため、リードスイッチ８８が離反して確実にリードスイッチが開となる。
【００５４】
この本体側コイル８７に対向したコントローラ８には、コントローラ側コイル８１が設置されており、コントローラ側コイル８１に予め定められた振動数のパルス電流を通電しつつこれを計測する計測手段８２と、天秤竿部材１０２の他端の先端部が接触している際に通電してコイル８７を含んだ閉回路が形成される状態と、天秤竿部材１０２の他端の先端部が離反した際に非通電となり閉回路が遮断される状態の相違を検知して糊液の供給を制御する通電制御手段８３とを備える。
【００５５】
即ち、糊桶６内部に汲上げられた糊液の上限を越えて貯留した際に閉回路を形成しなくなり糊液供給ポンプ装置７の駆動が止まるが、それ以外にも、糊桶６が糊付機本体の正規位置にない状態でも閉回路を形成しなくなり、糊液供給ポンプ装置７の駆動が止まる。この２つの機能により糊桶６から糊液が溢れることはない。
【００５６】
また、図５〜図７の詳細な図に示す通り、前方下部フレーム４６内部の上部壁面に固定された支点部材１０４の支点１０１で吊下された天秤竿部材１０２の一端部は上方に当接部１０７が設けられ、この当接部１０７は、フレーム４６に穿設された穿設孔４７を介して糊桶６の突設部材１０３に当接する。天秤竿部材１０２の他端部は、接触スイッチ１０５の上方に伸びた接触平板部１０８を備え、この平板部１０８のサイドにはロータリダンパ１０９と噛合するギア板部１４が固定されている。接触スイッチ１０５は天秤竿部材１０２の他端部の先端部分の側面を覆う固定部材１０６に固定されている。また、ロータリダンパ１０９は天秤竿部材１０２の傾き速度を遅くする遅延手段として機能する。
【００５７】
３．非接触スイッチを用いた上限スイッチ
図９は非接触スイッチを用いた上限スイッチの概略を示す説明図であり、ａ図は本実施例の非接触スイッチを用いた上限スイッチを内部に収納した下部フレームの平面図である。ｂ図はａ図の内部構造を示した平面図である。ｃ図はｂ図の正面図である。ｄ図はｂ図の側面図である。
【００５８】
本実施例の非接触スイッチを用いた上限スイッチは、図４〜図８の上限スイッチを図９のものに置換えたものである。即ち、図９に示す通り、糊付機本体１の左右両側面を繋ぐ前方下部フレーム４６内部には、支点１１１で吊下された天秤竿部材１１２が糊桶６の前方下面から突設した突設部材１０３に一端部を当接されている。天秤竿部材１１２の他端部側の重さは糊桶６内部に汲上げられた糊液の上限を越えて貯留した際に初めて天秤竿部材１１２を傾かせる重さとしている。
【００５９】
天秤竿部材１１２の他端部の先端部分の側方には、永久磁石１１５ａが配されている。永久磁石１１５ａの対向位置には、略Ｌ字状のスイッチ保持部材１１４に保持された非接触スイッチとしてのリードスイッチ１１５ｂが配されている。このリードスイッチ１１５ｂは糊付機本体１のコントローラ側の側面に設置された本体側コイル８７に接続されている。天秤竿部材１１２の一端部は上方に当接部１１７が設けられ、この当接部１１７が糊桶６の突設部材１０３で押されて下に傾き、反対側の他端の先端部が上方に傾いた状態では、永久磁石１１５ａがスイッチ内接点が反発極性になるよう配されているため、リードスイッチが開となる。逆に、糊桶６が軽くなると天秤竿部材１１２の一端が上に傾き、反対側の先端部が下方に傾いた状態となり、永久磁石１１５ａがリードスイッチ内設点が吸着極性になるよう配されているため、リードスイッチが閉となる。
【００６０】
天秤竿部材１１２の一端部には当接部１１７と糊桶６の突設部材１０３との間には、下部フレーム４６に穿設された孔１２０に嵌合された可撓性の防水キャップ１２１が配されている。防水キャップ１２１は上方からの水の侵入を良好に阻害し、糊桶６の突設部材１０３からの荷重を阻害しない材質で作製される。例えば、フッ素ゴム等の素材で作製される。このため、作業終了後の洗浄時にも濡れることを気にすることがなく、簡便に糊付作業及び洗浄作業を行うことができる。
【００６１】
また、当接部１１７は、天秤竿部材１１２と放射状に配された複数の接続片１１８で接続されており、隣接する接続片１１８の間は下方に開口１１９が形成されている。また、開口１１９の下方は前方下部フレーム４６の底部材が切欠かれており、万が一、防水キャップ１２１が使用の際に破損しても、上部からの水は開口１１９を通過して下部フレーム４６の切欠きから落下する。これにより、作業終了後の洗浄時にも濡れることを気にすることがなく、簡便に糊付作業及び洗浄作業を行うことができる。
【００６２】
更に、前述の通り、糊桶６が正規位置に収納されている場合には、掛止片１１０が当接部１１７を飛び出し方向へ押圧する力と糊液を含めた糊桶６の重量との合力である斜め荷重が天秤竿部材１１２にかかる。そのため、天秤竿部材１１２の支点１１１を構成する軸受には、その斜め荷重に対抗可能なボールベアリング１２２を備える。
【００６３】
更に、斜め荷重によって天秤竿部材１１２自体が当所の位置よりも斜めになる場合が想定される。天秤竿部材１１２自体が斜めになるとリードスイッチ１１５ｂにおいて磁気反発・磁気吸着が良好に働かない場合が想定される。そのため、斜め荷重によって天秤竿部材１１２が斜めになることを防止するため、天秤竿部材１１２の他端部に配されたガイド片１２３と、このガイド片１２３を案内するガイド溝１２４とを備えている。ガイド片１２３としては、天秤竿部材１１２の傾きに応じてガイド溝１２４の内側壁の何れかに沿って転がるベアリング車輪である。
【００６４】
図４〜図６と同様に、リードスイッチ１１５ｂが閉となると通電してコイル８７を含めた閉回路を形成し、天秤竿部材１１２の他端の先端部が離反した際には非通電となり閉回路が遮断する。この本体側コイルに対向したコントローラ８には、前述と同様に、コントローラ側コイル８１が設置されており、コントローラ側コイル８１に予め定められた振動数のパルス電流を通電しつつこれを計測する計測手段８２と、天秤竿部材１１２の他端の先端部が接触している際に通電してコイル８７を含んだ閉回路が形成される状態と、天秤竿部材１１２の他端の先端部が離反した際に非通電となり閉回路が遮断される状態の相違を検知して糊液の供給を制御する通電制御手段８３とを備える。
【００６５】
即ち、糊桶６内部に汲上げられた糊液の上限を越えて貯留した際に閉回路を形成しなくなり糊液供給ポンプ装置７の駆動が止まるが、それ以外にも、糊桶６が糊付機本体の正規位置にない状態でも閉回路を形成しなくなり、糊液供給ポンプ装置７の駆動が止まる。この２つの機能により糊桶６から糊液が溢れることはない。
【符号の説明】
【００６６】
Ｃ …クロス、
Ｒ …原反ロール、
１ …糊付機本体、
２ …台座部、
３ …脚部、
３１ …前脚、
３２ …後脚、
３３ …クロス受けブラケット、
３４ …クロス芯棒、
３５ …折り畳み部、
３６ …第１テンションバー、
３７ …カットテープ取付け芯棒、
３８ …第１テンションバー回動部材、
４ …下部構体、
４１ …糊付けローラ、
４２ …下ピンチローラ、
４３ …ドクターローラ、
４４ …均しローラ、
４６ …前方下部フレーム、
４７ …穿設孔、
５ …上部構体、
５１ …上ピンチローラ、
５２ …押さえローラ、
５３ …ドライブローラ、
６ …糊桶、
６１ …糊上げローラ、
６５ …永久磁石、
６５ａ…永久磁石、
６５ｂ…永久磁石、
６５ｃ…永久磁石、
７ …糊液供給ポンプ装置、
７１ …糊バケツ（糊液容器）、
７２ …吸入口、
７３ …吐出口、
７４ …供給パイプ、
８ …コントローラ、
８１ …コントローラ側コイル、
８２ …計測手段、
８３ …通電制御手段、
８４ …糊桶ガイドレール、
８５ …ストッパ、
８７ …本体側コイル、
８８ …リードスイッチ（糊桶位置センサー）、
９ …スリッター、
９０ …回転刃、
９１ …ガイド面部、
９２ …第２テンションバー、
９３ …第３テンションバー、
９４ …ホルダー、
９５ …第２テンションバー回動部材、
９６ …下流側曲面、
１０１…支点、
１０２…天秤竿部材、
１０３…突設部材、
１０４…支点部材、
１０５…接触スイッチ、
１０６…固定部材、
１０７…当接部、
１０８…接触平板部、
１０９…ロータリダンパ、
１１０…掛止片、
１１１…支点、
１１２…天秤竿部材、
１１４…スイッチ保持部材、
１１５ａ…永久磁石、
１１５ｂ…リードスイッチ、
１１７…突設部、
１１８…接続片、
１１９…開口、
１２０…穿設孔、
１２１…防水キャップ、
１２２…ボールベアリング、
１２３…ガイド片、
１２４…ガイド溝、
【図１】
2011153518.tif 000003
【図２】
2011153518.tif 000004
【図３】
2011153518.tif 000005
【図４】
2011153518.tif 000006
【図５】
2011153518.tif 000007
【図６】
2011153518.tif 000008
【図７】
2011153518.tif 000009
【図８】
2011153518.tif 000010
【図９】
2011153518.tif 000011